(57)【要約】【課題】  作業性に優れ、対象物に効率よく空気を供給することができ、しかも折りたたみやすく携帯に便利な空気入れを提供すること。【解決手段】  第１の板４ａが、袋２の内側であって開口部２ａの近傍に設けられている。このため、第１の板４ａを、例えば、袋２を押しつぶすときの巻き込み軸として用いることができる。従って、袋２を押しつぶして空気を入れる作業効率を向上させることができるとともに、第１の板４ａにより開口部２ａの封口効果を得ることができる。また、袋２の内側に第１の板４ａが設けられているので、安全性を確保することができる。【選択図】  図１
0003103108.tif 000002
【実用新案登録請求の範囲】
【請求項１】
空気を内部に取り込むための開口部を一端に有し、前記内部から外部に空気を排出するための排出孔を他端に有する袋状の容器と、
前記容器に設けられ、前記開口部の近傍に配置される第１の板と、
前記排出孔に接続され、該排出孔から排出される空気を流通させるとともに該空気を外部に吐出するノズルと
を具備することを特徴とする空気入れ。
【請求項２】
請求項１に記載の空気入れであって、
前記容器の開口部より前記排出孔に近い側、または、前記開口部と前記排出孔との間であってそのほぼ中央に設けられ、前記容器の内部の空間を広げるための第２の板をさらに具備することを特徴とする空気入れ。
【請求項３】
請求項２に記載の空気入れであって、
前記第２の板は、ほぼ中央で折り曲げられるように設けられることで前記容器の内部の空間を広げる方向に可撓性を有することを特徴とする空気入れ。
【請求項４】
請求項２に記載の空気入れであって、
前記第１の板及び第２の板は、それぞれ複数に分割されていることを特徴とする空気入れ。
【請求項５】
請求項２に記載の空気入れであって、
前記第２の板は、重なるように折りたたみ可能に設けられていることを特徴とする空気入れ。
【請求項６】
請求項１に記載の空気入れであって、
前記開口部を封口するための封口機構をさらに具備することを特徴とする空気入れ。
【考案の詳細な説明】
【技術分野】
【０００１】
本考案は、対象物に効率よく空気を供給することが可能な空気入れに関する。
【背景技術】
【０００２】
従来から、ゴムボートや浮輪、キャンプ用エアマット等、多量の空気を入れて使用するレジャー用品に対して空気を供給する場合、一般のユーザー用としては、モータ等の動力源を有する小型のポンプ等が実用化されている。
【０００３】
しかし、上記のような多量の空気を必要とするレジャー用品に空気を入れる場合や、空気容量は小さくても対象物の数量が多いような場合に、従来の小型のポンプ等を用いると効率が悪く時間がかかるとともに、動力源を有しているため重く、携帯も困難であった。
【０００４】
そこで、ビニールシートなどを加工した円筒状の袋を用いて、当該袋内部の空気を動力源無しに対象物へ空気を供給する空気入れが考案されている（例えば、登録実用新案第３０２５５３４号公報に記載）。この空気入れでは、一端に設けられた開口部から空気を袋の内部に取り込み、例えば、開口部をひねって折り返し、この折り返した部分を手で押えて空気を閉じ込めたりしている。その後、例えば、袋に体重をかけることで、袋に接続されたノズルを介して対象物に空気を送り込んでいる。
【考案の開示】
【考案が解決しようとする課題】
【０００５】
しかしながら、上記空気入れにおいては、袋を押しつぶして空気を送るときに不安定で力が入りにくく、対象物に効率よく空気を供給することができない、という問題があった。また、当該空気入れは、未使用時に収納したり、屋外に持ち運んだりする際に、コンパクトに折りたたむことができないという問題もある。たとえ折りたたむことができたとしても、くしゃくしゃになってしまい、見た目も悪くなることが多い。
【０００６】
以上のような事情に鑑み、本考案の目的は、作業性に優れ、対象物に効率よく空気を供給することができ、しかも折りたたみやすく携帯に便利な空気入れを提供することにある。
【課題を解決するための手段】
【０００７】
上記課題を解決するため、本考案に係る空気入れは、空気を内部に取り込むための開口部を一端に有し、前記内部から外部に空気を排出するための排出孔を他端に有する袋状の容器と、前記容器に設けられ、前記開口部の近傍に配置される第１の板と、前記排出孔に接続され、該排出孔から排出される空気を流通させるとともに該空気を前記外部に吐出するノズルとを具備する。
【０００８】
本考案では、容器の開口部から内部に空気が取り込まれた状態で、容器の開口部を閉じて押しつぶす際に、開口部の近傍に設けられた第１の板を、例えば、容器の巻き込み軸として利用することができる。このため、空気を内部に取り込んだ容器を押しつぶす作業が容易となるとともに、第１の板を巻き込むことにより開口部の封口効果を得ることができる。
【０００９】
本考案の一の形態によれば、前記容器の開口部より前記排出孔に近い側、または、前記開口部と前記排出孔との間であってそのほぼ中央に設けられ、前記容器の内部の空間を広げるための第２の板をさらに具備する。この構成によれば、第２の板により容器内部の空間を広げた状態を保つことができるため、容器の内部に多く空気を取り込むことができる。また、第２の板が、前記容器の開口部より前記排出孔に近い側、またはそれらの間のほぼ中央に設けられているため、多く空気を取り込んだ状態で第１の板を軸にして容器を巻き込む際に、第２の板が巻き込みを妨げることがない。従って、より多くの空気をノズル内に流通させるとともに空気を外部に吐出することができる。
【００１０】
本考案の一の形態によれば、前記第２の板は、ほぼ中央で折り曲げられるように設けられることで前記容器の内部の空間を広げる方向に可撓性を有する。これにより、自動的に容器内に空気が入るので、作業が簡単かつ楽になる。
【００１１】
本考案の一の形態によれば、前記第１の板及び第２の板は、それぞれ複数に分割されている。これにより、例えば、分割された第１の板及び第２の板の大きさに合わせて、容器を折りたたむことができる。従って、上記のように空気を入れ易くなるだけでなく、例えば未使用時に折りたたみ易くなるという効果を得ることができる。
【００１２】
本考案の一の形態によれば、前記第２の板は、重なるように折りたたみ可能に設けられている。これにより、例えば、未使用時には第２の板を折りたたむことで、容器をコンパクトにして携帯及び収納することができ、使用時には第２の板を伸ばすことで容器の内部に多量の空気を取り込むことができる。
【００１３】
本考案の一の形態によれば、前記開口部を封口するための封口機構をさらに具備する。上記のように第１の板によって封口効果を得ることができるが、補助的に封口機構を設けることで、例えば、容器の内部に空気を取り込んだ状態で容器を押しつぶすときに、容器の内部から空気が漏れることを防止することができる。従って、より確実にノズル内に空気を流通させるとともに空気を外部に吐出することができる。
【考案の効果】
【００１４】
以上のように、本考案によれば、作業効率がよく携帯性に優れた空気入れを提供することができる。
【考案を実施するための最良の形態】
【００１５】
以下、本考案の実施の形態を図面に基づき説明する。
【００１６】
図１は、本考案の実施の形態の空気入れの外観斜視図である。本実施形態の空気入れ１は、内部に空気を取り込み可能な袋状の容器としての例えば合成樹脂製の袋２と、開口部２ａの近傍に複数設けられた第１の板４ａと、袋２に接続可能なノズル３とを具備している。なお本実施形態では、袋として合成樹脂製のものを用いているが、材質はこれに限定されず、例えば軟質のプラスチックシート等を用いてもよい。
【００１７】
袋２は、空気を内部に取り込むための開口部２ａを一端に有し、内部から外部に空気を排出するための排出孔２ｂを他端に有している。排出孔２ｂには、例えば、円筒状の接続部材７が接続されている。
【００１８】
ノズル３は、例えば合成樹脂製のホース３ｂを有している。ホース３ｂの一端には接続部材７に着脱可能な接続部３ａが設けられ、他端にはゴムボート等の空気供給孔に挿入されるノズル部材３ｃが設けられている。ノズル先端部３ｃは突部３ｄを有している。ゴムボート等の空気供給孔の内部には、一般に開閉弁が設けられているが、突部３ｄをゴムボート等の空気供給孔に挿入することで、上記開閉弁を開いた状態で空気を供給することができる。
【００１９】
袋２の開口部２ａの近傍には、第１の板４ａが例えば２枚に分割されて設けられている。本実施形態においては、当該板４ａは袋２の内側に設けられているが、外側に設けられていても構わない。また、第１の板４ａは、例えば袋２の幅方向（Ｘ方向）にそれぞれ第１の板４ａの長手方向が沿うように配設されている。
【００２０】
第１の板４ａの材質には、例えば合成樹脂製、金属性、または可撓性のものが用いられている。
【００２１】
袋２には、袋２の長手方向（Ｙ方向）において開口部２ａより排出孔２ｂに近い側に、袋２の内部の空間を広げるための第２の板５ａが、例えば２枚に分割されて設けられている。第２の板５ａは、例えば可撓性の材質のものが用いられ、略中央で折り曲げられるようになっている。また、それぞれ、袋２を４つ折にするときに妨げとならないように配設されている。
【００２２】
図２は、空気入れ１の第１、第２の板４ａ、５ａの配設位置を示す平面図である。
【００２３】
図２に示すように、袋２の一端から第２の板５ａまでの間隔ａと、第２の板５ａから袋２の他端までの間隔ｂとの比率が例えば２対１となるように、第２の板５ａが配設されている。しかし、この比率に限られることはなく、例えば１対１であってもよい。袋２の大きさとしては、例えば、Ｙ方向の長さ（ａ＋ｂ）が７０〜１４０ｃｍ、Ｘ方向の長さｃが３０〜９０ｃｍに設定されている。より好ましくは（ａ＋ｂ）＝１２０ｃｍ、ｃ＝６０ｃｍである。上記のように、第１の板２ａは開口部２ａの近傍に設けられているが、具体的には、距離ｆは、ｆ＝０〜３０ｃｍとされている。より好ましくは、ｆ＝５〜１５ｃｍである。
【００２４】
図３、図４は、それぞれ空気入れ１の第２の板５ａを折りたたんだ状態、広げた状態を示す横断面図である。
【００２５】
図３に示すように、第２の板５ａは、重なるように略中央で折りたたみ可能に袋２の内側に設けられている。第２の板５ａを折りたたんだ状態では、空気入れ１の厚さは薄くなっている。
【００２６】
図４に示すように、第２の板５ａは可撓性のため矢印の方向に広げることが可能であり、それぞれの板を広げた状態では、袋２内に空気を収容する空間Ｓが形成されている。
【００２７】
次に、本実施形態の空気入れ１を用いて空気を入れる手順について、図５を参照しながら説明する。
【００２８】
図５に示すように、まず、第２の板５ａを図４に示す矢印の方向にそれぞれ広げて、袋２内に空気を入れる。次いで、ノズル部材３ａを図示しないゴムボート等の空気供給孔に挿入する。
【００２９】
次に、２枚の第１の板４ａをそれぞれ袋２の上から覆うように握り、両板を軸として袋２を矢印Ｄ方向に巻き込みながら、袋２を圧縮して排気孔２ａから袋２内の空気を、ノズル３を介してゴムボート等の対象物に供給する。袋２を第２の板の近傍まで巻き込んだら元の状態に戻し、再び袋２を巻き込む。この動作を、対象物に空気が満たされるまで繰り返す。
【００３０】
以上説明したように、本実施形態によれば、第１の板４ａが、袋２の開口部２ａの近傍に設けられている。このため、第１の板４ａを、袋２を押しつぶすときの巻き込み軸として用いることができる。また、第１の板４ａを軸として袋２を巻き込むことにより、開口部２ａは自然に塞がれた状態になる。従って、袋２を押しつぶして空気を入れる作業の効率を向上させることができるとともに、第１の板４ａにより開口部２ａの封口効果を得ることができる。また、袋２の内側に第１の板４ａを設けた場合には、例えば第１の板４ａが金属等でなる場合に特に安全性を確保することもできる。
【００３１】
また、本実施形態によれば、第２の板５ａが袋２の開口部２ａより排出孔２ｂに近い側に設けられている。これにより、袋２の内部に多く空気を取り込んだ状態で、第１の板４ａを軸にして袋２を巻き込むときに、第２の板５ａが邪魔になって巻き込みを妨げることを回避できる。従って、より多くの空気を、ノズル３を介してゴムボード等に供給することができる。
【００３２】
また、本実施形態によれば、第１の板４ａ及び第２の板５ａが、袋２を４つ折にするときに妨げとならないように、それぞれ複数個配設されている。これにより、例えば、第１の板４ａ及び第２の板５ａの大きさに合わせて、袋２を折りたたむことができる。従って、第１の板４ａ及び第２の板５ａにより空気を入れ易くなるとともに、未使用時に折りたたみ易くなるという相乗効果を得ることができる。
【００３３】
また、本実施形態によれば、第２の板５ａは、可撓性の材質からなり、重なるように略中央で広げたり折りたたんだりすることが可能な状態で袋２の内側に設けられている。これにより、例えば、空気をゴムボート等に入れるときに、第２の板５ａを広げて袋２内に多くの空気を取り込むことができる。さらに空気入れ１の未使用時、または携帯時には、例えば図２で示す一点鎖線Ｐで、縦にほぼ半分と、横に数箇所とに容易に折りたたむことができる。すなわち、これらの第１の板４ａ及び第２の板５ａが設けられていることにより、折りたたみが容易となり、かつ、携帯もしやすくなる。
【００３４】
さらに、本実施形態によれば、袋２は、排出孔２ｂを他端に有している。このため、袋２を一端側から巻きながら押しつぶすときに、排出孔２ｂが妨げとなることを防止できる。なお、本実施形態では、排出孔２ｂが袋２のＸ方向の略中央に形成されている例を示したが、排出孔２ｂの位置はこれに限定されず、例えば、角部に形成するようにしても同様にノズル３を介して空気を排出することができる。
【００３５】
次に、本考案に係る空気入れの第２の実施形態について、図６を参照しながら説明する。
【００３６】
上記実施形態では、略長方形状の袋２を用い、第１の板４ａと第２の板５ａとをそれぞれ２個並設する例を示した。しかし、これに限定されず、例えば、図６に示すように、袋２を用いる代わりに、袋１２の開口部１２ａを封口するための封口機構としてのジッパー６が設けられた袋１２を用いてもよい。このジッパー６は、例えばＸ方向に長い凹形状のレールと、それに嵌められるＸ方向に長い凸状のレールとを有するものを用いることができる。また袋１２は、開口部１２ａ側と反対側の端部に突部を有し、ジッパー６は開口部１２ａの端部に開閉可能に設けられている。
【００３７】
このような構成では、ゴムボート等に空気を入れるときに、補助的にジッパー６を閉じることで、袋１２の開口部１２ａを封口することができる。この結果、袋１２の内部から空気が漏れることを防止することができる。従って、より確実にノズル３を介して空気をゴムボードに供給することができる。なお、ジッパー６を用いる代わりに、マジックテープや粘着テープなどを用いても同様の効果を得ることができる。また、袋１２が突形状を有しているので、空気のノズル３への導出が容易となる。
【００３８】
また、上記第１の板４ａに代えてＸ方向の長さが長さｄの第３の板１４ａをＸ方向に３枚並設するようにしてもよい。このとき、第２の板５ａの代わりに第３の板１４ａの長さｄに合わせて長さｄの第４の板１５ａを配設することが好ましい。このよう構成では、袋１２を押しつぶすときに、第３の板１４ａを利用することができるとともに、未使用時に袋１２をＸ方向に３つに折りたたむときにも利用することができる。
【００３９】
上記ジッパー６は、第３の板１４ａより下方に設けるようにしてもよい。すなわち、破線６０で示す位置にジッパーを設けるようにしてもよい。また、このようなジッパーは、本実施の形態に係る空気入れのみに限らず、上記第１の実施の形態や後述する第３の実施の形態に係る空気入れにも設けてもよい。
【００４０】
次に、本考案に係る空気入れの第３の実施形態について図７を参照しながら説明する。上記第１の実施形態と同一の構成となる部分については同一の符号を付し、説明を省略する。同図に示すように、本実施形態における袋２２においては、開口部２２ａのＸ方向の両端が袋２２の内側方向に折り曲げられ、折り部２２ｂを形成している。折り部２２ｂは、開口部２２ａと反対側の端部にＹ方向に向かうに従って折り曲げが浅くなり、端部で折り曲げが無くなる。そして、当該折り部２２ｂには、第５の板２５ａが当該折り部２２ｂの形状に沿って、自在に３点で折れ曲がるように設けられており、袋２２内部に空気が取り込まれた際には、折り部２２ｂの形状に併せて広がり、袋２２の未使用時または携帯時には折り部２２ｂが内側に折れ曲がるのに合わせて折れ曲げることが可能となっている。
【００４１】
このように折り部２２ｂを設けることにより、未使用時には折り部２２ｂの折り目に合わせて折り曲げてコンパクトに収納または携帯が可能となる。また、それとともに、袋２２に空気を入れた際に、折り部２２ｂが広がって袋２２内部の空間が広くなるため、上記第１及び第２の実施形態における袋２及び袋１２に比べてより多くの空気を袋内部に取り込むことができ、その分多くの空気を対象物に供給することが可能となる。さらに、第５の板２５ａを設けたことにより、袋２２内部の空間が広がり、より多くの空気を対象物に供給することが可能となる。
【００４２】
次に、本考案に係る空気入れの第４の実施形態について図８を参照しながら説明する。なお、上記第３の実施形態と同一の構成となる部分については同一の符号を付し、説明を省略する。
【００４３】
同図に示すように、本実施形態においては、折り部２２ｂに第６の板３５ａが設けられている。当該第６の板３５ａは、軸３５ｂと板部材３５ｃとからなり、板部材３５ｃは当該軸３５ｂに枢着されている。
【００４４】
図９、図１０は、それぞれ第６の板３５ａを折りたたんだ状態、広げた状態を示す横断面図である。図９に示すように、第６の板３５ａは、袋２２の未使用時または携帯時には折り部２２ｂに併せて折りたたむことが可能であり、また図１０に示すように、袋２２に空気が取り込まれた場合には、２枚の板部材３５ｃを折りたたんだ状態から、矢印の方向にほぼ同一平面上になるように回動させる。このとき、２枚の板部材３５ｃがほぼ同一平面上になる点で両板が回動しないように固定するようにしてもよい。
【００４５】
本実施形態によれば、第６の板３５ａを設けたことにより、折り部２２ｂに併せて折り曲げることができるため、コンパクトに収納または携帯ができるとともに、袋２２に空気が取り込まれた際には袋２２内部の空間Ｓを広げることができるため、より多くの空気を対象物に供給することが可能となる。
【図面の簡単な説明】
【００４６】
【図１】本考案の一実施の形態に係る空気入れの全体構成を示す外観斜視図である。
【図２】本実施の形態に係る空気入れの第１及び第２の板の配設位置を示す平面図である。
【図３】本実施の形態に係る空気入れの第２の板を折りたたんだ状態を示す横断面図である。
【図４】本実施の形態に係る空気入れの第２の板を伸ばした状態を示す横断面図である。
【図５】本実施の形態に係る空気入れにおける袋の巻き込み前の状態を示す縦断面図である。
【図６】本考案の第２の実施形態に係る空気入れを示す平面図である。
【図７】本考案の第３の実施形態に係る空気入れを示す平面図である。
【図８】本考案の第４の実施形態に係る空気入れを示す平面図である。
【図９】本考案の第４の実施形態に係る空気入れの第６の板を折りたたんだ状態を示す横断面図である。
【図１０】本考案の第４の実施形態に係る空気入れの第６の板を伸ばした状態を示す横断面図である。
【符号の説明】
【００４７】
１、１０  空気入れ
２、１２  袋
２ａ、１２ａ  開口部
２ｂ  排出孔
３  ノズル
Ｓ  空間
４ａ、１４ａ  第１の板
５ａ、１５ａ  第２の板
６  ジッパー
２２ｂ  折り部
２５ａ  第５の板
３５ａ  第６の板
【図１】
0003103108.tif 000003
【図２】
0003103108.tif 000004
【図３】
0003103108.tif 000005
【図４】
0003103108.tif 000006
【図５】
0003103108.tif 000007
【図６】
0003103108.tif 000008
【図７】
0003103108.tif 000009
【図８】
0003103108.tif 000010
【図９】
0003103108.tif 000011
【図１０】
0003103108.tif 000012